(57)【要約】【課題】独立な設定ができない複数の設定項目についても、音声入力による設定を可能とし、操作性を向上させた映像装置を提供する。【解決手段】画像情報及び／又は文字情報を表示する表示手段と、音声信号を入力する音声信号入力手段と、入力した音声信号を認識する音声信号認識手段と、認識した音声信号に従って、装置の複数の設定項目に対して、各設定項目の条件を選択する条件選択手段と、を備える映像装置。複数の設定項目のうち、相互依存関係にある２以上の設定項目がある場合には、２以上の設定項目の情報を表示手段に表示させる制御手段を備える。【選択図】          図７
2004180055.tif 000002
【特許請求の範囲】
【請求項１】
画像情報及び／又は文字情報を表示する表示手段と、
音声信号を入力する音声信号入力手段と、
前記入力した音声信号を認識する音声信号認識手段と、
前記認識した音声信号に従って、装置の複数の設定項目に対して、各設定項目の条件を選択する条件選択手段と、を備える映像装置であって、
前記複数の設定項目のうち、相互依存関係にある２以上の設定項目がある場合には、該２以上の設定項目の情報を前記表示手段に表示させる制御手段を備えることを特徴とする映像装置。
【請求項２】
前記２以上の設定項目の情報には、選択可能な条件の情報が含まれる請求項１に記載の映像装置。
【請求項３】
前記表示手段に、更に音声信号の入力を促す旨の情報が表示される請求項１又は２のいずれか１項に記載の映像装置。
【発明の詳細な説明】
【０００１】
【発明の属する技術分野】
本発明はデジタルカメラ、カメラ一体型ＶＴＲ等の映像装置に係り、特に、操作者の発する音声を認識して、その音声指示に従って装置の各機能を制御させ得る映像装置に関する。
【０００２】
【従来の技術】
従来、デジタルカメラ、カメラ一体型ＶＴＲ等の映像装置の運転は、装置に設けられたボタン等のスイッチ類を指先等で操作して行うのが一般的であった。ところが、これらの装置の機能が増えるに従って、操作も複雑となってきた。一方、音声認識の技術も向上して来つつある。これにより、操作者の負担を軽減する意味で、操作者の発する音声を認識して、その音声指示に従って装置の各機能を制御させ得る映像装置が導入されつつある。
【０００３】
このような映像装置等に関して、各種の提案がなされている（特許文献１、２等参照）。これらの技術は、音声により入力が行える映像装置等であって、設定項目を操作者が階層的に設定可能とするものである。
【０００４】
【特許文献１】
特開２０００−８３１８６号公報
【０００５】
【特許文献２】
特開２０００−７８４４８号公報
【０００６】
【発明が解決しようとする課題】
しかしながら、たとえば、画像の画素数と画質モード（圧縮率）といったような項目は、それぞれ独立に設定できない。すなわち、これらは単純に上階層から下階層に決定していくことはできない。
【０００７】
図６は、この一例の関係を示す表である。同図において、画素数の選択肢は２Ｍ、１Ｍ及びＶＧＡの３種であり、それぞれの括弧内はピクセルの数を示す。ここでは、上段のもの程高解像度となっている。一方、画質（圧縮率）の選択肢はＦＩＮＥ、ＮＯＲＭＡＬ及びＢＡＳＩＣの３種であり、左列のもの程高画質となっている。
【０００８】
この表において、画素数で２Ｍを選択した場合、画質の選択肢はＦＩＮＥ、ＮＯＲＭＡＬ及びＢＡＳＩＣの３種いずれも可能であるが、画素数でＶＧＡを選択した場合、画質の選択肢はＦＩＮＥのみとなる。この対応関係は、画質を先に選択した場合にも同様となる。なお、表中のマトリックスにおいて、○印は設定可能な状態を、×印は設定不可能な状態をそれぞれ示す。
【０００９】
したがって、このように相互依存関係にある２以上の設定項目がある場合に、音声により入力した場合には、設定項目が入力できないという不具合を生じることとなる。
【００１０】
本発明はこのような事情に鑑みてなされたもので、独立な設定ができない複数の設定項目についても、音声入力による設定を可能とし、操作性を向上させた映像装置を提供することを目的とする。
【００１１】
【課題を解決するための手段】
前記目的を達成するために、本発明は、画像情報及び／又は文字情報を表示する表示手段と、音声信号を入力する音声信号入力手段と、前記入力した音声信号を認識する音声信号認識手段と、前記認識した音声信号に従って、装置の複数の設定項目に対して、各設定項目の条件を選択する条件選択手段と、を備える映像装置であって、前記複数の設定項目のうち、相互依存関係にある２以上の設定項目がある場合には、該２以上の設定項目の情報を前記表示手段に表示させる制御手段を備えることを特徴とする映像装置を提供する。
【００１２】
本発明によれば、複数の設定項目のうち、相互依存関係にある２以上の設定項目がある場合には、任意の音声入力では適正な設定ができない場合があるが、その場合であっても、この設定項目の情報が表示手段に表示されれば、音声入力での適正な設定が可能となる。
【００１３】
本発明において、前記２以上の設定項目の情報には、選択可能な条件の情報が含まれることが好ましい。このように、選択可能な条件の情報が示されれば、音声入力での誤りを生じる不具合もなくなるからである。
【００１４】
また、本発明において、前記表示手段に、更に音声信号の入力を促す旨の情報が表示されることが好ましい。このように、音声信号の入力を促す旨の情報が表示されれば操作者にとって便宜だからである。この音声信号の入力を促す旨の情報とは、たとえば、「ＦＩＮＥとＮＯＲＭＡＬのいずれかを選択してください！」等の表示が例示できる。
【００１５】
【発明の実施の形態】
以下添付図面に従って、本発明に係る映像装置の好ましい実施の形態について説明する。図１は、本発明に係る映像装置としてのデジタルカメラの実施の形態を示す概略図である。
【００１６】
同図に示されるデジタルカメラ１００には、液晶モニタ（ＬＣＤ）１０２、電源スイッチ１０４、光学ビューファインダ１０５、レリーズボタン１０６、音声入力用のマイク１５２、モード設定ダイヤル１０８、マルチファンクションの上下左右ボタン１１０、メニューボタン１１２、実行ボタン１１４、及び取消ボタン１１６等の操作部が設けられている。なお、なお、デジタルカメラ１００の背面には、図示しない撮像部１２０等が設けられている。
【００１７】
このデジタルカメラ１００は、撮影時には液晶モニタ１０２及び光学ビューファインダ１０５のいずれによっても画角の確認が可能となっており、光学ビューファインダ１０５を使用するときには液晶モニタ１０２をＯＦＦとすることができる。
【００１８】
デジタルカメラ１００には、音声入力用のマイク１５２が設けられており、操作者の発声する指令となる音声を入力する。この音声入力用のマイク１５２は光学ビューファインダ１０５の略下方に設けられているため、操作者が光学ビューファインダ１０５を覗くと、音声入力用のマイク１５２が操作者の口元付近に位置するようになっており、良好なＳ／Ｎ比の状態で操作者の音声を入力することができる。
【００１９】
図２は上記デジタルカメラ１００の内部構成を示すブロック図である。同図に示されるように、このデジタルカメラ１００の撮像系には、被写体の像を受光面に結像させて光電変換し、画像信号として出力する撮像部１２０と、デジタルカメラ全体の制御を行うとともに、画像信号のサンプリング制御、画像の記録制御、音声入力制御、表示制御、画像を分類したディレクトリの生成等の制御を行う中央処理装置（ＣＰＵ）１２２と、ホワイトバランス補正、ガンマ補正等の処理を行う信号処理部１２４と、アナログの画像信号をデジタルの画像データに変換するＡ／Ｄ変換器１２６とが設けられている。
【００２０】
また、デジタルカメラ１００の入力系には、図１に示した電源スイッチ１０４、レリーズボタン１０６、モード設定ダイヤル１０８、上下左右ボタン１１０、メニューボタン１１２、実行ボタン１１４、及び取消ボタン１１６等を含む操作部１２８と、前記操作部１２８で入力した各々の情報の信号を変換するポートであるＩ／Ｏ１３０とが設けられている。
【００２１】
同じく入力系として、音声の入力を行う音声信号入力手段としてのマイク１５２とＡ／Ｄ変換器１５４とが設けられている。マイク１５２から入力された音声は、Ａ／Ｄ変換されて取り込まれ、一時的に一定時間内にメモリに記録することができる。後述する不揮発性メモリ１４２又はＲＯＭ（システムメモリ１４０）には音声認識に必要な辞書や図６に示されるテーブル等が格納されており、入力された音声に対応可能となっている。
【００２２】
また、デジタルカメラ１００の画像変換系には、画像データをＪＰＥＧやＭＰＥＧに代表される手法で圧縮制御したり、圧縮したデータを伸張展開制御する処理を行う圧縮伸張部１３２と、画像データを着脱可能なメモリカード１３４にカードスロット１３６を介して記録したり読み出したりするためにデータを変換するカードインターフェース１３８とが設けられている。
【００２３】
更に、デジタルカメラ１００には、動作プログラムや各定数が記憶されているＲＯＭやプログラム実行時の作業領域となるとともに、画像を記録することが可能なＲＡＭにより構成されているシステムメモリ１４０と、デジタルカメラ１００の動作に関する各種定数や各種情報を電源遮断時にも記憶し続けることが可能な不揮発性メモリ１４２と、撮影日時などを管理するためのカレンダ時計１４４と、撮影時の被写体の光量を補うために発光するストロボ１４６と、このストロボ１４６の発光を制御するストロボ制御手段１４８とが設けられている。
【００２４】
デジタルカメラ１００の表示系には、表示手段としての液晶モニタ１０２と、画像等を液晶モニタ１０２に表示するための信号に変換するＤ／Ａ変換器１５６と、表示する画像や情報を一時記憶するためのＶＲＡＭ等で構成されているフレームメモリ１５８と、名前などの文字やメッセージをオンスクリーンディスプレイするＯＳＤ１６０とが設けられている。なお、液晶モニタ１０２にはバックライトが設けられているタイプが好ましく使用できるが、低消費電力タイプのモニタでは、バックライトを設けないタイプのものも使用できる。
【００２５】
その他、外部機器とのデータの交換等ができるように、外部インターフェース１６２及びコネクタ１６４が設けられている。また、上記の各構成要素に電力を供給するバッテリー（図示略）が設けられている。上記の各構成要素は、バス１７０を介して相互に連結されている。
【００２６】
以上のハードウェア構成のうち、条件選択手段及び制御手段の役割は、主にＣＰＵ１２２が分担する。また、音声信号認識手段の役割は、主にＣＰＵ１２２及び不揮発性メモリ１４２又はＲＯＭ（システムメモリ１４０）内の辞書が分担する。
【００２７】
図１に戻って、モード設定ダイヤル１０８は、デジタルカメラ１００における各種のモードを設定するもので、図３に示されるように、設定モード（Ｓｅｔｕｐ）、通信モード（ＰＣ）  、静止画撮影モード（Ｃａｍ）  、動画撮影モード（Ｍｏｖ）  、及び再生モード（Ｐｌａｙ）のいずれかを設定できるようになっている。
【００２８】
図３において、設定モードを選択すると、図４に示される設定画面が液晶モニタ１０２に表示される。この図４の設定画面において、撮影時の画像の記録モード（記録画像の画素数と画質の設定が可能。詳細は、図５参照。）の他、マクロ撮影のＯＮ／ＯＦＦの設定、ストロボの発光モードの設定等が可能である。
【００２９】
マクロ撮影やストロボの発光の設定等のように単純に設定が可能な項目については、この図４の設定画面において設定が可能であるが、記録画像の画素数と画質の設定のような項目については、既述の図６の説明のように互いに独立に設定できない条件もあることゆえ、図４の設定画面において設定は行わない。そして、図４の設定画面において、記録モードを選択している状態で「実行」スイッチを操作することにより、図５に示される記録モード設定画面に移行する。
【００３０】
図５に示される記録モード設定画面では、図６に基づいて設定可能な値のみがマトリックス表示されており、この画面で操作者は、上下左右ボタン１１０（図１参照）を操作して希望の画素数と画質との組み合わせを選択できる。
【００３１】
次に、上記デジタルカメラ１００における、音声入力による各設定項目の条件を選択する動作について、図７のフローチャートを使用して説明する。
【００３２】
デジタルカメラ１００では、既述の設定モードにおいて音声入力により種々の設定ができる他、静止画撮影モード、動画撮影モードにおいても音声入力により、ストロボ、マクロ、記録モード（画素数と画質）の設定が可能となっている。なお、静止画撮影モード、動画撮影モードにおいてレリーズボタン１０６が押し下げられた場合には、その時点における設定条件で撮影が実行される。
【００３３】
図７において、先ず、図示しない設定スイッチにより音声入力状態に設定する（ステップＳ０）。この状態で、一定レベル以上の音声入力があるかが判断され（ステップＳ２）、一定レベル以上の音声入力がない場合（Ｎｏ）には、ステップＳ２で循環ループを形成し、入力があるまで待機状態が維持される。
【００３４】
一定レベル以上の音声入力があった場合（Ｙｅｓ）には、デジタルカメラ１００は操作者から何らかの音声入力があったものと判断して、音声をメモリに記録（ストア）して（ステップＳ４）、次いで、辞書により照合（音声認識）を行う（ステップＳ６）。
【００３５】
照合において、音声と合致した単語が辞書内にあるか否かが判断され（ステップＳ８）、辞書内にない場合（Ｎｏ）には、無効である旨のビープ音を発生させ（ステップＳ１０）、その後ステップＳ２に戻り、音声入力待ちとなる。なお、このビープ音が煩わしい場合には、図示しないスイッチ操作により、ビープ音を無効とする設定状態にもできる。一方、音声と合致した単語があった場合（Ｙｅｓ）には、以下のフローによりどの設定項目であるかが判断される。
【００３６】
すなわち、単語がマクロ設定関連（「マクロオン」と「マクロオフ」）であるか否かが判断され（ステップＳ１２）、マクロ設定関連である場合（Ｙｅｓ）には、その単語の指示に従いマクロ設定を行い（ステップＳ１４）、次いでステップＳ８０に移行し、ここで設定状態を一定時間液晶モニタ１０２に表示し、その後ステップＳ２に戻り、音声入力待ちとなる。
【００３７】
一方、マクロ設定関連でない場合（Ｎｏ）には、単語がストロボ設定関連（「ストロボオン」と「ストロボオフ」）であるか否かが判断され（ステップＳ１６）、ストロボ設定関連である場合（Ｙｅｓ）には、その単語の指示に従いストロボ設定を行い（ステップＳ１８）、次いでステップＳ８０に移行し、ここで設定状態を一定時間液晶モニタ１０２に表示し、その後ステップＳ２に戻り、音声入力待ちとなる。
【００３８】
ステップＳ１６において、単語がストロボ設定関連でない場合（Ｎｏ）には、単語が画素数関連（「ニメガ」（２Ｍ）、「イチメガ」（１Ｍ）、及び「ブイジーエー」（ＶＧＡ））であるか否かが判断され（ステップＳ２０）、画素数関連である場合（Ｙｅｓ）には、その単語の指示に従い画素数の設定を行い（ステップＳ２２）、設定された画素数で設定可能な画質の候補を図６の表に基づいて所得する（ステップＳ２４）。その際、画質の候補が２個以上であるか否かが判断され（ステップＳ２６）、画質の候補が１個しかない場合（Ｎｏ）であって他に選択の余地がない場合には、画質をその値に設定し（ステップＳ２８）、次いでステップＳ８０に移行し、ここで設定状態を一定時間液晶モニタ１０２に表示し、その後ステップＳ２に戻り、音声入力待ちとなる。
【００３９】
一方、ステップＳ２６において、画質の候補が２個以上ある場合（Ｙｅｓ）には、図８に示されるような画面を液晶モニタ１０２に表示する（ステップＳ３０）。図８の画面は、画素数が１Ｍに設定された場合の例であり、設定可能な画質の候補が「ＦＩＮＥ」と「ＮＯＲＭＡＬ」であることを示している。画素数候補の「２Ｍ」と「ＶＧＡ」の表示は、グレーアウトされている。
【００４０】
この状態で、一定レベル以上の音声入力があるかが判断され（ステップＳ３２）、一定レベル以上の音声入力がない場合（Ｎｏ）には、ステップＳ３２で循環ループを形成し、入力があるまで待機状態が維持される。一定レベル以上の音声入力があった場合（Ｙｅｓ）には、デジタルカメラ１００は操作者から何らかの音声入力があったものと判断して、音声をメモリに記録（ストア）して（ステップＳ３４）、次いで、辞書により照合（音声認識）を行う（ステップＳ３６）。
【００４１】
照合において、音声と合致した単語が辞書内にあるか否かが判断され（ステップＳ３８）、辞書内にない場合（Ｎｏ）には、無効である旨のビープ音を発生させ（ステップＳ４０）、その後ステップＳ３２に戻り、音声入力待ちとなる。一方、音声と合致した単語があった場合（Ｙｅｓ）には、この合致した単語が「キャンセル」であるか否かが判断される（ステップＳ４２）。そして、単語が「キャンセル」であった場合（Ｙｅｓ）には、ステップＳ２に戻り、音声入力待ちとなる。
【００４２】
一方、ステップＳ４２において、単語が「キャンセル」でなかった場合（Ｎｏ）には、音声と合致した単語が画質関連であるか否かが判断される（ステップＳ４４）。そして、単語が画質関連でない場合（Ｎｏ）には、無効である旨のビープ音を発生させ（ステップＳ４０）、その後ステップＳ３２に戻り、音声入力待ちとなる。
【００４３】
一方、単語が画質関連であった場合（Ｙｅｓ）には、その単語の指示が図８で示される画質の候補にあるか否かが判断され（ステップＳ４６）、候補でない場合（Ｎｏ）には、無効である旨のビープ音を発生させ（ステップＳ４０）、その後ステップＳ３２に戻り、音声入力待ちとなる。
【００４４】
ステップＳ４６で、単語の指示が図８で示される画質の候補にある場合（Ｙｅｓ）には、単語の指示通りに画質を設定し（ステップＳ４８）、次いでステップＳ８０に移行し、ここで図９に示されるような設定結果を一定時間液晶モニタ１０２に表示し、その後ステップＳ２に戻り、音声入力待ちとなる。
【００４５】
この図９に示される設定結果は、記録モードにおいて、画素数を１Ｍと設定し、画質をＮＯＲＭＡＬと設定した例であり、設定された条件が白抜きで表示されている。
【００４６】
以上のフローは、記録モードにおいて、先に画素数関連の音声入力を行い、次いで画質関連の音声入力を行った場合についてのものである。以下のステップＳ５０以降においては、記録モードにおいて、先に画質関連の音声入力を行い、次いで画素数関連の音声入力を行った場合について説明する。
【００４７】
ステップＳ２０に戻って、単語が画素数関連でない場合（Ｎｏ）には、次のステップＳ５０に移行し、単語が画質関連であるか否かが判断される。単語が画質関連でない場合（Ｎｏ）には、ステップＳ２に戻り、音声入力待ちとなる。
【００４８】
一方、ステップＳ５０において、単語が画質関連である場合（Ｙｅｓ）には、その単語の指示に従い画質の設定を行い（ステップＳ５２）、設定された画質で設定可能な画素数の候補を図６の表に基づいて所得する（ステップＳ５４）。その際、画素数の候補が２個以上であるか否かが判断され（ステップ５６）、画素数の候補が１個しかない場合（Ｎｏ）であって他に選択の余地がない場合には、画素数をその値に設定し（ステップＳ５８）、次いでステップＳ８０に移行し、ここで設定状態を一定時間液晶モニタ１０２に表示し、その後ステップＳ２に戻り、音声入力待ちとなる。
【００４９】
一方、ステップＳ５６において、画素数の候補が２個以上ある場合（Ｙｅｓ）には、その旨の内容の画面を液晶モニタ１０２に表示する（ステップＳ６０）。この状態で、一定レベル以上の音声入力があるかが判断され（ステップＳ６２）、一定レベル以上の音声入力がない場合（Ｎｏ）には、ステップＳ６２において循環ループを形成し、入力があるまで待機状態が維持される。
【００５０】
一定レベル以上の音声入力があった場合（Ｙｅｓ）には、デジタルカメラ１００は操作者から何らかの音声入力があったものと判断して、音声をメモリに記録（ストア）して（ステップＳ６４）、次いで、辞書により照合（音声認識）を行う（ステップＳ６６）。
【００５１】
照合において、音声と合致した単語が辞書内にあるか否かが判断され（ステップＳ６８）、辞書内にない場合（Ｎｏ）には、無効である旨のビープ音を発生させ（ステップＳ７０）、その後ステップＳ６２に戻り、音声入力待ちとなる。一方、音声と合致した単語があった場合（Ｙｅｓ）には、この合致した単語が「キャンセル」であるか否かが判断される（ステップＳ７２）。そして、単語が「キャンセル」であった場合（Ｙｅｓ）には、ステップＳ２に戻り、音声入力待ちとなる。
【００５２】
一方、ステップＳ７２において、単語が「キャンセル」でなかった場合（Ｎｏ）には、音声と合致した単語が画素数関連であるか否かが判断される（ステップＳ７４）。そして、単語が画素数関連でない場合（Ｎｏ）には、無効である旨のビープ音を発生させ（ステップＳ７０）、その後ステップＳ６２に戻り、音声入力待ちとなる。
【００５３】
一方、単語が画素数関連であった場合（Ｙｅｓ）には、その単語の指示が画素数の候補にあるか否かが判断され（ステップＳ７６）、候補でない場合（Ｎｏ）には、無効である旨のビープ音を発生させ（ステップＳ７０）、その後ステップＳ６２に戻り、音声入力待ちとなる。
【００５４】
ステップＳ７６で、単語の指示が画素数の候補にある場合（Ｙｅｓ）には、単語の指示通りに画素数を設定し（ステップＳ７８）、次いでステップＳ８０に移行し、ここで設定結果を一定時間液晶モニタ１０２に表示し、その後ステップＳ２に戻り、音声入力待ちとなる。
【００５５】
以上、本発明に係る映像装置の実施形態の例について説明したが、本発明は上記実施形態の例に限定されるものではなく、各種の態様が採り得る。
【００５６】
たとえば、本実施形態の例では、相互依存関係にある設定項目として、撮影モードにおける画素数と画質との関係について説明したが、これ以外の例、たとえば、撮影モードにおけるオートホワイトバランスとマニュアルホワイトバランスとの関係についても適用できる。
【００５７】
オートホワイトバランス（以下、「Ｗ／Ｂ」と略す）の設定では、Ｗ／Ｂは自動的に設定される。これに対し、マニュアルＷ／Ｂの設定では、昼光、蛍光灯（この内でも数段階に分類可）、白熱灯、等の数種類の照明状態を選択できる。このような相互依存関係にある設定項目の場合にも、図７に示されるフローと同様な手順で設定が行える。
【００５８】
また、本実施形態の例では、映像装置としてデジタルカメラが使用されているが、これ以外の装置、たとえば、カメラ一体型ＶＴＲ等の装置も採用できる。同様に、ソフトウェア構成及びハードウェア構成も一例を示したに過ぎず、他の態様を採用することを妨げるものではない。
【００５９】
【発明の効果】
以上説明したように、本発明によれば、複数の設定項目のうち、相互依存関係にある２以上の設定項目がある場合には、任意の音声入力では適正な設定ができない場合があるが、その場合であっても、この設定項目の情報が表示手段に表示されれば、音声入力での適正な設定が可能となる。
【図面の簡単な説明】
【図１】本発明に係る表示装置としてのデジタルカメラの実施の形態を示す概略図
【図２】図１に示したデジタルカメラの内部構成を示すブロック図
【図３】図１に示したデジタルカメラのモード設定ダイヤルの平面図
【図４】設定モードを選択した際の液晶モニタの画面
【図５】設定モードにおいて記録モードを選択した際の液晶モニタの画面
【図６】相互依存関係にある２つの設定項目がある場合の例を示す表
【図７】音声入力による各設定項目の条件を選択する動作についてのフローチャート
【図８】画質の候補が２個以上ある場合の液晶モニタの画面
【図９】設定結果を表示する液晶モニタの画面
【符号の説明】
１００…デジタルカメラ、１２２…ＣＰＵ、１２８…操作部、１３４…メモリカード、１４０…システムメモリ、１４２…不揮発性メモリ、１５２…マイク、１５４…Ａ／Ｄ変換器、１７０…バス
【図１】
2004180055.tif 000003
【図２】
2004180055.tif 000004
【図３】
2004180055.tif 000005
【図４】
2004180055.tif 000006
【図５】
2004180055.tif 000007
【図６】
2004180055.tif 000008
【図７】
2004180055.tif 000009
【図８】
2004180055.tif 000010
【図９】
2004180055.tif 000011